(57)【要約】【課題】プログラムストリームが変換手段２から出力されたプログラムストリームの音声圧縮形式がわからず、ＤＶＤオーサリングソフトなどを用いで加工する場合に時間がかかる。また、音声圧縮形式によっては容量が大きくなる。【解決手段】プログラムストリームが変換手段２から出力されたプログラムストリームの音声圧縮形式を音声属性検出手段１１により検出し、音声属性ファイル記録手段１２によりプログラムストリームと共に出力し、音声圧縮属性が一目で識別できるようにする。【選択図】図１
2005142813.tif 000002
【特許請求の範囲】
【請求項１】
圧縮された映像と圧縮された音声を持つ第１のプログラムストリームを変換して第２のプログラムストリームとして出力するプログラムストリーム変換手段と、前記プログラムストリーム変換手段で変換された第２のプログラムストリームをメモリに記録する記録手段と、前記プログラムストリーム変換手段から出力された第２のプログラムストリームの音声属性を検出する音声属性検出手段と、前記音声属性検出手段で検出された音声属性がファイルとしてメモリに記録する音声属性ファイル記録手段を有することを特徴とする音声付動画の属性出力装置。
【発明の詳細な説明】
【技術分野】
【０００１】
本発明は、音声付動画ファイルを出力する際に、音声属性を識別する装置に属する。
【背景技術】
【０００２】
近年、民生用の再生映像データの信号はデジタル化の傾向にあり、さまざまな媒体にデジタル化されて記録されている。その中で、規格化され、全世界で共通のフォーマットとして普及しているものに、ＤＶＤフォーマットがある。このＤＶＤ規格の中には、記録のための規格として、書換可能なメディアに映像・音声データを記録し、再生する「ＤＶＤビデオレコーディング規格」というものがある。
【０００３】
この方式は、ＤＶＤレコーダーなどに応用されて、ＴＶ番組の記録などに非常に有効な手段となっている。すなわち、これまでの、ＶＴＲのようなＴＶ番組を記録・再生する手段に加え、さらに劣化のないデジタルデータでの記録ならびにランダムアクセスが可能なディスクメディアへの記録ができることで、これまでにない利点があり、その魅力から普及しつつある。この場合、番組はＤＶＤ−ＲＡＭのような記録メディアに記録されて、保存されるので、番組の管理などがディスクごとにできると共に、ディスク自身が可搬性にすぐれているので、パソコンなどのドライブを用いて、パソコン上でも再生や記録ができることになる。パソコンなどでこの記録されたデータを利用する場合には、専用のソフトが使われるが、メディアに記録されたデータがデジタルであることから、再利用されるケースがある。ここで、ＤＶＤビデオレコーディング規格の場合、メディアなどに記録されたデータは、一般にＭＰＥＧ２のプログラムストリームを基本のデータ構造であり、それにフォーマット特有の仕様を持つことで全体が構成されている。このデータは、音声に関しては、ＡＣ３方式、ＭＰＥＧ１方式、リニアＰＣＭ方式などの音声フォーマットが許されている。このデータをＤＶＤ−Ｖｉｄｅｏ規格のデータなどに変換することで、安価なメディアへ記録することが可能になるが、この場合、ＤＶＤ−Ｖｉｄｅｏ規格のデータへ変換する場合、一般的に専用の作成ソフト（以下、オーサリングソフト）があり、汎用的な圧縮映像データであるＭＰＥＧ２ファイルを用いて、ＤＶＤ−Ｖｉｄｅｏの規格に合致した構造にしている。
【０００４】
このようにオーサリングソフトでは、汎用的なＭＰＥＧ２データが基本であり、ＤＶＤビデオレコーディング規格として、記録されたデータがそのまま使えない場合が多い。そこで、ＤＶＤビデオレコーディング規格で記録した情報信号を、オーサリングソフトなどを用いて編集しようとした場合、プログラムストリームを変換して、パソコン上のメモリなどに書き出して使用していた。
【０００５】
この従来の例について、図２を用いて説明する。図２は、従来のファイル出力装置の要部構成を示す図である。図２において、１は第１のプログラムストリームを本装置に入力する入力手段、２は第１のプログラムストリームを変換して第２のプログラムストリームとして出力するプログラムストリーム変換手段であり、ここでＤＶＤビデオレコーディング規格により記録されたデータを、オーサリングソフトで使用可能な汎用的なＭＰＥＧ２ストリームに変換する。さらに、３は前記プログラムストリーム変換手段で変換された第２のプログラムストリームをＭＰＥＧ２ファイルとしてメモリに書き出す記録手段であり、これにより一旦メモリに書き出した後、オーサリングソフトなどを用いてＤＶＤビデオの作成を行っていた。これに関連する先行技術としては、以下のものがある（例えば、特許文献１参照。）。
【特許文献１】特開平１１−４５５１２号公報
【発明の開示】
【発明が解決しようとする課題】
【０００６】
しかしながら、上記従来のファイル出力装置によれば、出力したＭＰＥＧストリームのファイル名が、音声の属性によらずいつも同じであり、音声の属性が識別できないという問題点を有していた。例えば、パソコン上では、音声がＭＰＥＧ２方式の場合であれば、概ね再生できるので、問題とならないが、ＡＣ３やリニアＰＣＭの場合、パソコンの環境によっては、音が出なくなることがあり、機械の故障などと間違えられる場合がある。
【０００７】
また、オーサリングソフトを使用する場合、ＭＰＥＧ音声はそのままでは使用できず、ＤＶＤ−Ｖｉｄｅｏの規格に適したリニアＰＣＭなどに変換される。この場合、あらかじめ、使用するＭＰＥＧストリームのファイルの音声属性がわからないと、もともとのＭＰＥＧ１音声が伸張されることで、全体の容量が増え、ＤＶＤ−Ｒなどのメディアへの記録時間が極端に短くなってしまうということがあった。一方で、ファイル名に属性を記載するという方法もあるが、この場合、ファイル名をオーサリングソフトなどで２次利用する場合があるので好ましくない。
【０００８】
そこで、上記課題に鑑み、本発明は、変換したＭＰＥＧ２プログラムストリームを出力すると同時に、音声圧縮形式が同時に識別できる装置を提供することを目的とする。
【課題を解決するための手段】
【０００９】
上記目標を達成するために、本発明は、圧縮された映像と圧縮された音声を持つ第１のプログラムストリームを変換して第２のプログラムストリームとして出力するプログラムストリーム変換手段と、前記プログラムストリーム変換手段で変換された第２のプログラムストリームをメモリに書き出す記録手段と、前記プログラムストリーム変換手段から出力された第２のプログラムストリームの音声属性を検出する音声属性検出手段と、検出された音声属性をファイルとしてメモリに書き出す音声属性ファイル記録手段を有し、第２のプログラムストリームが出力されると同時に前記音声属性記録ファイルをメモリに出力する手段を備え、出力された第２のプログラムストリームの音声属性を容易に識別できる作用を有する。
【発明の効果】
【００１０】
以上の説明から明らかなように、本発明によれば、汎用的ＭＰＥＧファイルに変換したと同時に、音声属性を記録したファイルを出力するので、出力されたＭＰＥＧ２ファイルの音声属性を識別することができるという利点がある。
【発明を実施するための最良の形態】
【００１１】
以下、本発明の実施の形態について、図面を参照しながら説明する。図１において、１はプログラムストリームを本ファイル出力装置に入力するための入力手段、２は前記入力手段に入力されたプログラムストリームを変換する変換手段、３は変換されたプログラムストリームをメモリに記録する記録手段、１１はプログラムストリーム変換手段２が出力するプログラムストリームの音声属性を検出する音声属性検出手段、１２は１１で出力された音声属性をメモリに書き出す記録手段、４は記録手段３と、音声属性ファイル記録手段１２から出力されたデータを記録するメモリである。
【００１２】
このような構成の本実施例の動作を以下説明する。まず、入力手段１には映像と音声を持つＤＶＤビデオフォーマットのプログラムストリームが本装置に入力されるとする。入力されたビデオレコーディングのプログラムストリームは、プログラムストリーム変換手段２により、ビデオレコーディング規格のＭＰＥＧ２から汎用的なＭＰＥＧ２ストリームに変換される。変換の方法は、ビデオレコーディング規格のＭＰＥＧ２から汎用的なＭＰＥＧ２として最低限必要なパケットだけを残すことで通常実現できる。この場合、音声についてはフォーマットを変換してよい。例えば、ビデオレコーディング規格で許されているＭＰＥＧ１からＡＣ３へ変換してよい。ビデオレコーディングを例にとれば、ＡＣ３方式、ＭＰＥＧ１方式、リニアＰＣＭ方式などの音声フォーマットが許されており、ここで場合によっては音声形式が変換される場合もある。
【００１３】
次に、プログラムストリーム変換手段２から出力されたプログラムストリームは、記録手段３によりメモリ、例えばハードディスクのような汎用的な磁気記憶装置に出力される。この場合、ＡＢＣ．ｍｐｇのような名前のファイルとして記録されるが、拡張子は規格上、変えることができないことになっている。そこで、同じ拡張子であるファイルの音声圧縮形式を識別するためにはファイル名を変更することが考えられるが、出力されたファイルをオーサリングソフト（ＤＶＤを作成するソフト）などに用いる場合、ファイル名を動画ごとのタイトルとして用いることもあるので、ファイル名を変えることは関係のない用語がタイトルに含まれてしまうので好ましくなく、元の音声フォーマットに関わらず、同じファイル名として出力される。
【００１４】
一方、プログラムストリーム変換手段２から出力されたプログラムストリームは、音声属性検出手段１１により、音声属性が検出され、検出された結果は音声属性ファイル記録手段１２により、テキストファイルのようなファイルとしてメモリに記録される。このファイルは誰でも見ることができ、ファイルの中に属性を記録しておくことが望ましい。これにより、記録手段３によって出力されたＭＰＥＧプログラムストリームファイルの音声属性を識別することができる。この場合、音声属性ファイル出力手段１２によりメモリ４に記録される形式は、ＨＴＭＬ形式で出力されてもよい。すなわち、ＨＴＭＬ形式で記録した場合、そのファイルはパソコン上では汎用的でありながら、対応するファイルの色・フォントなどを変えることができるなど、より容易に音声属性を識別することができる。これにより、一度に複数のＭＰＥＧファイルを出力したときなどメニューの代わりになると同時に色・フォントの違いによって音声属性を区別すれば、同時に出力されたファイルの音声属性が一目で識別できることになる。
【００１５】
以上のように、本発明のファイル出力装置によれば、プログラムストリーム変換手段２により出力されたＭＰＥＧ２ファイルの音声属性を、ファイル名を変えることなく識別できるという利点を有している。
【産業上の利用可能性】
【００１６】
本発明にかかるファイル出力装置は、パソコンの環境によっては、作成したＭＰＥＧファイルの音声信号の再生ができる・できないといったことが確認できたり、オーサリングソフトを使用した場合、作成後の容量が事前に的確にわかるといった非常に有用な効果がある。
【図面の簡単な説明】
【００１７】
【図１】本発明の実施例を示す図
【図２】従来例のファイル出力装置を示す図
【符号の説明】
【００１８】
１    入力手段
２    プログラムストリーム変換手段
３    記録手段
４    メモリ
１１    音声属性検出手段
１２    音声属性ファイル記録手段
【図１】
2005142813.tif 000003
【図２】
2005142813.tif 000004